(57)【要約】      （修正有）【課題】小型で使いやすい遮光素子を提供する。【解決手段】第１の透明基板１と、第１の透明基板に成型された黒色部材による遮光部３と、第１の透明基板に対して透明な接着剤４により接合された第２の透明基板２と、を有する。【選択図】図１
2016102849.tif 000002
【特許請求の範囲】
【請求項１】
第１の透明基板と、
第１の透明基板に成型された黒色部材による遮光部と、
第１の透明基板に対して透明な接着剤により接合された第２の透明基板と、
を有することを特徴とする遮光素子。
【請求項２】
黒色部材の屈折率をｎｂ、接着剤の屈折率をｎｃとすると、
０．９５  ＜  ｎｂ／ｎｃ  ≦  １
とする請求項１に記載の遮光素子。
【請求項３】
黒色部材の遮光部に切れ目を形成することを特徴とする請求項１に記載の遮光素子。
【請求項４】
第１の透明基板、第２の透明基板には反射防止膜が形成されていることを特徴とする請求項１に記載の遮光素子。
【請求項５】
黒色部材は型により第１の基板上に形成されていることを特徴とする請求項１に記載の遮光素子。
【請求項６】
第１及び第２の透明基板の片面に反射防止膜を形成するステップと、
第１の透明基板の反射防止膜と反対側の面に、型に充てんした黒色部材を押し当てて、黒色部材を透明基板に転写するステップと、
第１の透明基板上に接着剤を流し込むステップと、
第２の透明基板の反射防止と反対側の面を第１の透明基板の黒色部材が形成された面に押し当るステップと、
接着剤を硬化させるステップと、
あふれ出た接着剤を除去するステップと、
を有することを特徴とする遮光素子の製造方法。
【発明の詳細な説明】
【技術分野】
【０００１】
本発明は、カメラに入射する光を制限する機能を有する素子に関し、特に撮影レンズの被写体側に装着し、有効画角外からの光を選択的に遮光する素子に関する。
【背景技術】
【０００２】
従来、カメラなどにおいて有効画角の外から光を遮光するためには、撮影レンズの被写体側にフードを取り付け、有効画角外の光が直接レンズに入射しないようにすることが一般的であった。しかし、メカ的なフードは大きくかさばることが問題である。有効画角外からの光を遮光する異なる手法として、ルーバー上の構造を複数の層上に構成し所定の方向からの光を遮光する素子が特許文献１に開示されている。
【先行技術文献】
【特許文献】
【０００３】
【特許文献１】特開２００８−１１６５９２号公報
【発明の概要】
【発明が解決しようとする課題】
【０００４】
しかしながら、上述の特許文献に開示された従来技術では、遮光部を形成するために基板上に台形状の透明部を複数密接して形成し、台形と台形のエッジの部分のくさび状の空孔部に黒色塗料を塗り込むので、製造工程が複雑であった。また、くさび状の空孔部を狭くすると黒色塗料がすきまに入りづらくなるので、遮光部を薄くできないという問題があった。
【０００５】
そこで、本発明の目的は、遮光部を成型プロセスで形成することで、簡便に素子を製造でき、かつ遮光部の厚みを薄くすることを可能にした遮光素子を提供することにある。
【課題を解決するための手段】
【０００６】
上記の目的を達成するために、本発明の遮光素子は、
第１の透明基板と、
第１の透明基板に成型された黒色部材と、
第１の透明基板に対して透明な接着剤により接合された第２の透明基板を有することを特徴とする。
【発明の効果】
【０００７】
本発明によれば、簡便に素子を製造でき、かつ遮光部の厚みを薄くすることを可能にした遮光素子の提供を実現できる。
【図面の簡単な説明】
【０００８】
【図１】第１の実施例の構成を説明する断面図
【図２】第１の実施例の黒色部材による壁のパターンを説明する図
【図３】第２の実施例の黒色部材による壁のパターンを説明する図
【図４】第３の実施例の黒色部材による壁のパターンを説明する図
【図５】黒色部材による壁の向きの異なる実施形を説明する図
【発明を実施するための形態】
【０００９】
以下に、本発明の好ましい実施の形態を、添付の図面に基づいて詳細に説明する。
【実施例１】
【００１０】
以下、図１を参照して、本発明の第１の実施例による、遮光素子について説明する。図１において、１は第１の透明基板、２は第２の透明基板、３は壁状に成型された黒色部材、４は第１の透明基板と第２の透明基板を接合する接着剤である。図２は図１に示した遮光素子を透明基板に垂直の方向から見た図である。黒色部際は同心円状に複数成型されている。
【００１１】
円上に成型された壁にはいくつかの切れ目を設けており、透明基板どうしを接合するとき接着剤が壁を越えて素子全体に浸透しやすい構造になっている。切れ目の大きさや数は任意に設定してよく、図２に示した切れ目よりもより小さい切れ目でもよい。
【００１２】
また、黒色部材と接着剤の界面における反射を防ぐために、黒色部材と接着剤の屈折率は、なるべく等しい方が望ましく、黒色部材の屈折率をｎｂ、接着剤の屈折率をｎｃとすると
０．９５  ＜  ｎｂ／ｎｃ  ≦  １
とするのがより望ましい。
【００１３】
黒色部材の壁は第１の透明基板に垂直に成型され、有効画角の光はなるべく遮光しないようになっている。
【００１４】
撮影レンズの最大画角をωとし、最大画角の２倍の画角からの光を遮光するように黒色部材の壁を構成するためには、壁の高さをＨ、壁の間隔をＤとすると、
Ｄ／ｔａｎ（ω）  ＞  Ｈ  ＞  Ｄ／ｔａｎ（２ω）
とすればよい。
【００１５】
撮影レンズの焦点距離１００ｍｍ、撮像素子の有効径を２２ｍｍとすると、最大画角ωは、１２．４°となる。ここで有効外２ωから入射する光を遮光するとき
４．５５  ＞  Ｈ／Ｄ  ＞    ２．１６
となる。
【００１６】
本実施例による遮光素子の製造方法を説明する。
外径形状をそろえた透明基板を用意する。
第１及び第２の透明基板の片面に反射防止膜を形成する。
第１の透明基板の反射防止膜と反対側の面に、型に充てんした黒色部材を押し当てて、黒色部材を透明基板に転写する。
第１の透明基板上に接着剤を流し込む。
第２の透明基板の反射防止膜のない面を第１の透明基板の黒色部材が形成された面に押し当てる。
紫外線を照射して、接着剤を硬化する。
あふれ出た接着剤を除去する。
接着剤の硬化は、熱による硬化でもよい。
反射防止膜は、誘電体による多層構造でも、サブ波長構造の構造体でもよい。
【実施例２】
【００１７】
以下、図３を参照して、本発明の第２の実施例による、遮光素子について説明する。図３は透明基板に垂直な方向から見た遮光素子の図である。２３が黒色部材である。この実施例では黒色部材は直線状に所定の方向に平行に成型されている。このような遮光素子は黒色部材の壁に垂直な方向からの光を遮光するので、撮影レンズに装着して使用するときには、遮光したい光源の方向に黒色部材の壁の向きを合わせて使用する。遮光素子の構成は実施例１と同じである。
【実施例３】
【００１８】
以下、図４を参照して、本発明の第３の実施例による、遮光素子について説明する。図４は透明基板に垂直な方向から見た遮光素子の図である。３３が黒色部材である。この実施例では黒色部材は楕円状に成型されている。このような遮光素子は楕円の短辺方向からの光を効率的に遮光するので、撮影レンズに装着して使用するときには、効率よく遮光したい方向に楕円の短辺の向きを合わせて使用する。遮光素子の構成は実施例１と同じである。
【００１９】
以上、本発明の好ましい実施形態について説明したが、本発明はこれらの実施形態に限定されず、その要旨の範囲内で種々の変形及び変更が可能である。例えば、黒色の壁を中心から周辺に向けて連続的につながる螺旋状としてもよい。また、図５に示すように黒色部材の壁の向きも遮光素子の周辺部に行くにしたがって透明基板に対する角度が垂直から徐々に大きくなるように成型してもよい。
【符号の説明】
【００２０】
１  第１の透明基板、２  第２の透明基板、３  黒色部材、４  接着剤
【図１】
2016102849.tif 000003
【図２】
2016102849.tif 000004
【図３】
2016102849.tif 000005
【図４】
2016102849.tif 000006
【図５】
2016102849.tif 000007